(57)【特許請求の範囲】
【請求項１】
機器のハウジング表面に配置されてハウジング表面と平行な面内で回転自在であるとともにハウジング内の接点部の開閉駆動部を備えているスイッチカムと、スイッチカム上に配されてハウジング表面と平行な面内で回転自在であり且つその回転で上記スイッチカムを回転させる回転連動部を備えている操作子とを備え、操作子とスイッチカムとはその回転中心が異なる位置に設けられているとともに上記回転連動部が上記両回転中心と異なる位置に設けられ、操作子はリング状の取付部材で外周部が支持されてハウジングに取り付けられていることを特徴とする小型電気機器。
【請求項２】
操作子の回転中心から見て回転連動部がスイッチカムの回転中心よりも外周側に位置していることを特徴とする請求項１記載の小型電気機器。
【請求項３】
操作子はハウジングの下方側に向けて突出するレバー部を備えており、リング状の取付部材はレバー部が通る位置に切り欠きを備えていることを特徴とする請求項１又は２記載の小型電気機器。
【発明の詳細な説明】
【０００１】
【発明の属する技術分野】
本発明は操作子に対する回転操作でスイッチの開閉を行う小型電気機器に関するものである。
【０００２】
【従来の技術】
小型電気機器において、外面に配した操作子に対する操作で内部のスイッチの開閉を行うには種々の構造があるが、防水性が要求される小型電気機器においては、操作子を回転操作型のものとし、ケースを貫通する操作子の回転軸に接点開閉部を設けることが一般に行われている。回転軸にＯリングを装着するだけで、ケース貫通部の防水を図ることができるからである。
【０００３】
【発明が解決しようとする課題】
しかし、上記構造では操作子の取付位置が内部機構により制限される上に、操作子の操作角度及び方向と接点開閉部の回転角度及び方向を一致させなくてはならない。
【０００４】
本発明はこのような点に鑑みなされたものであって、その目的とするところは操作子の位置や操作角度や操作方向についての制限が無くした小型電気機器を提供するにある。
【０００５】
【課題を解決するための手段】
しかして本発明は、機器のハウジング表面に配置されてハウジング表面と平行な面内で回転自在であるとともにハウジング内の接点部の開閉駆動部を備えているスイッチカムと、スイッチカム上に配されてハウジング表面と平行な面内で回転自在であり且つその回転で上記スイッチカムを回転させる回転連動部を備えている操作子とを備え、操作子とスイッチカムとはその回転中心が異なる位置に設けられているとともに上記回転連動部が上記両回転中心と異なる位置に設けられ、操作子はリング状の取付部材で外周部が支持されてハウジングに取り付けられていることに特徴を有している。操作子の回転中心を接点開閉駆動部とは別の位置に設けることができる。また操作子はリング状の取付部材で外周部が支持されてハウジングに取り付けられたものとすると、操作子の取付力を容易に大きくすることができる。
【０００６】
この時、操作子の回転中心から見て回転連動部をスイッチカムの回転中心よりも外周側に位置させると、スイッチカムの回転力、つまりは接点開閉駆動力を大きくすることができる。
【０００７】
また、操作子がハウジングの下方側に向けて突出するレバー部を備えており、リング状の取付部材はレバー部が通る位置に切り欠きを備えていると、取付部材の内側に入った水の排水を切り欠きを通じて行うことができる。
【０００８】
【発明の実施の形態】
以下本発明を実施の形態に基づいて詳述すると、図示例の小型電気機器は図６及び図７から明かなように電気かみそりであり、上下両端面が開口するとともに下端開口が下蓋１０で、上端開口が上蓋１１で閉じられる筒状のハウジング１内にモータ１５及び電池１６を配置するとともに、モータ１５の出力軸に連結されて回転運動を往復運動に変換する駆動子１８の上蓋１１を貫通する上端部に内刃ブロック２０が装着され、さらにハウジング１の上端部に外刃ブロック２１が装着されている。
【０００９】
そして背面側にトリマー刃ブロック２２が取り付けられたハウジング１の表面側には円形で且つ外周部にレバー部３０を備えた操作子３が配設されており、またレバー部３０にはロックハンドル４が付設されている。この操作子３は図１と図２及び図４に示すように、ハウジング１の表面に設けたボス１２の軸回りに回転自在となるように取り付けられたもので、クリック突起部３１を外周縁に備えるとともに長孔３２を備えたものとなっている。クリック突起部３１の内周側の切り抜き部３３はクリック突起部３１に弾性を付与するためである。図中３５は操作子３の円形部の表面に配される化粧カバー、３６は化粧カバー３５の取り付けのためのリング状取付枠である。このリング状取付枠３６は、ハウジング１に係合する係合部を備えており、操作子３のハウジング１への取り付けと、操作子３の回転ガイドとクリック突起部３１との係合によるクリック付与の役割も担っている。取付枠３６に設けた切り欠き３７は、ハウジング１の下方側に延びる上記レバー部３０を通すためのものであり、また取付枠３６内に入った水の排出用である。
【００１０】
操作子３のレバー部３０表面に配されたロックハンドル４は、レバー部３０に対してその長手方向にスライド自在に取り付けられて、ハウジング１表面に形成された操作子３の配置部である凹面部１３に連続するロック溝１４に位置する時、操作子３の回転操作のロックを行う。
【００１１】
ハウジング１の表面には、上記操作子３に加えて、スイッチカム５が配設されている。このスイッチカム５は、ハウジング１に設けられた貫通孔２５に配される軸部５０と、軸部５０の先端に設けられた接点開閉駆動部５１と、操作子３の上記長孔３２に係合する偏心ピン５３とを備えたもので、軸部５０と貫通孔２５との間にはシール部材としてのＯリング５５が配設されている。
【００１２】
一方、ハウジング１内には前述のようにモータ１５及び電池１６が納められているのであるが、これらはシャシー６に装着された状態でハウジング１に納められている。このシャシー６は、図５に示すように、レバー６０を回動自在に支持するとともに、レバー６０の端部が連結されるスイッチプレート６２をスライド自在に支持しているもので、上記レバー６０はスイッチカム５の接点開閉駆動部５１を受ける溝６１を備えており、スイッチカム５が回転する時、レバー６０も回転してスイッチプレート６２をスライドさせる。また、スイッチプレート６２はそのスライド動作により接点ばね６５と配線金具６６，６７，６８からなる接点部の開閉を行う。
【００１３】
今、ロックハンドル４を操作してロックを解除した状態で操作子３を回転操作したならば、操作子３の回転中心とは異なる位置を軸としてスイッチカム４が回転し、スイッチカム５の回転に伴ってレバー６０が回転し、さらにレバー６０の回転でスイッチプレート６２がスライドして接点部が閉じられ、モータ１５に通電される。操作子３を逆方向に回転させれば、スイッチカム５とレバー６０とを介してスイッチプレート６２が復帰し、オフとなる。
【００１４】
ここにおいて、上述のように、操作子３の回転中心と、ハウジング１を貫通している軸部５０を備えたスイッチカム５とは異なる位置に設けられており、図８に示すように、操作子３の回転操作角度をα、スイッチカム５の回転角をβ、操作子３の回転中心とスイッチカム５の回転中心とのｘｙ方向における角距離をδｘ，δｙ、スイッチカム５の中心から偏心ピン５３までの距離をｒｂとする時、角度αは次のように表すことができる。
【００１５】
【式１】
0003832118.tif 000002
【００１６】
今、δｘ，δｙをそれぞれ６．９ｍｍと１．５ｍｍに、角度α，βをそれぞれ２０度と３４度に設定したい場合、距離ｒｂを式１より２．８５ｍｍとすればよい。
【００１７】
操作子３とスイッチカム５の回転方向を同じとしたい場合は、図９に示すように、偏心ピン５３を操作子３の中心から見てスイッチカム５の中心よりも外周側に設ければよい。
【００１８】
なお、上記のものでは操作子３とスイッチカム５との連係を偏心ピン５３と長孔３２とで行ったが、図１０及び図１１に示すように、操作子３及びスイッチカム５に各々の回転中心を中心とするギア３ａ，５ａを設けて、両ギア３ａ，５ａを噛み合わせることで、操作子３にスイッチカム５を連動させてもよい。
【００１９】
【発明の効果】
以上のように本発明においては、機器のハウジング表面に配置されてハウジング表面と平行な面内で回転自在であるとともにハウジング内の接点部の開閉駆動部を備えているスイッチカムと、スイッチカム上に配されてハウジング表面と平行な面内で回転自在であり且つその回転で上記スイッチカムを回転させる回転連動部を備えている操作子とを備え、操作子とスイッチカムとはその回転中心が異なる位置に設けられているとともに上記回転連動部が上記両回転中心と異なる位置に設けられているために、操作子の回転中心を接点開閉駆動部とは別の位置に設けることができ、操作子の配置位置がハウジング内部の部品配置によって制限されてしまうことを避けて、操作しやすい位置に配置することができるものであり、しかも接点開閉部材のストロークと操作子の回転操作角度とを任意に設定することができる。また操作子はリング状の取付部材で外周部が支持されてハウジングに取り付けられたものとすると、操作子の取付力を容易に大きくすることができて、操作子の脱落を確実に且つ防ぐことができる。
【００２０】
この時、操作子の回転中心から見て回転連動部をスイッチカムの回転中心よりも外周側に位置させると、スイッチカムの回転力、つまりは接点開閉駆動力を大きくすることができ、各部の摺動摩擦抵抗に対してより小さな操作力で接点の開閉駆動を行うことができる。
【００２１】
また、操作子がハウジングの下方側に向けて突出するレバー部を備えており、リング状の取付部材はレバー部が通る位置に切り欠きを備えていると、取付部材の内側に入った水の排水を切り欠きを通じて行うことができる。
【図面の簡単な説明】
【図１】本発明の実施の形態の一例における破断正面図である。
【図２】同上の横断面図である。
【図３】同上のシャシーの正面図である。
【図４】同上の分解斜視図である。
【図５】同上の分解斜視図である。
【図６】同上の正面図である。
【図７】同上の縦断面図である。
【図８】同上の動作説明図である。
【図９】他例の動作説明図である。
【図１０】さらに他例の分解斜視図である。
【図１１】同上の部分破断正面図である。
【符号の説明】
１  ハウジング
３  操作子
５  スイッチカム
【図１】
0003832118.tif 000003
【図２】
0003832118.tif 000004
【図３】
0003832118.tif 000005
【図４】
0003832118.tif 000006
【図５】
0003832118.tif 000007
【図６】
0003832118.tif 000008
【図７】
0003832118.tif 000009
【図８】
0003832118.tif 000010
【図９】
0003832118.tif 000011
【図１０】
0003832118.tif 000012
【図１１】
0003832118.tif 000013